(57)【特許請求の範囲】
【請求項１】
携帯端末の操作者の第１の指示に応答して、第１の現在時刻を記録し、
前記操作者の前記第１の指示又は第２の指示に応答して、前記携帯端末により撮像された映像の記録を開始し、
前記映像の記録の最中に、前記操作者による投薬の情報の選択の指示に基づく投薬情報と疾病の状況に関する入力文字の情報とを含む入力情報を受け取り、
前記操作者の第３の指示に応答して、前記映像の記録を終了し、
前記操作者の前記第３の指示又は第４の指示に応答して、第２の現在時刻又は前記第１の現在時刻から前記第２の現在時刻までの経過時間を記録し、
前記第１の現在時刻と、前記第２の現在時刻又は前記経過時間と、記録された前記映像と、前記入力情報とを対応付けてメモリへの記録を制御する
処理を前記携帯端末に実行させるプログラム。
【請求項２】
前記携帯端末の表示画面に対して表示を制御する
処理を更に前記携帯端末に実行させるプログラムであって、
前記表示を制御する処理は、
対応付けて記録された前記第１の現在時刻と、前記第２の現在時刻又は前記経過時間と、記録された前記映像と、前記映像に対応づけられた前記入力情報とを、対応付けて前記携帯端末の画面に表示する制御を行う、
請求項１に記載のプログラム。
【請求項３】
前記第１の指示は、前記操作者による当該プログラムの起動の指示である、
請求項１又は２に記載のプログラム。
【請求項４】
前記入力情報は、前記操作者による疾病の状況の選択の指示に基づく疾病に関する情報を含む、請求項１ないし３のうちいずれか１項に記載のプログラム。
【請求項５】
前記入力情報は、前記入力情報が入力された時刻の情報を含む、請求項１ないし４のうちのいずれか１項に記載のプログラム。
【請求項６】
前記経過時間が所定の値を超えているか否かを判断し、
前記経過時間が前記所定の値を超えていると判断された場合に、前記携帯端末の操作者又は遠隔地にいる者に、前記経過時間が前記所定の値を超えていることに関して前記携帯端末が報知を行う
処理を前記携帯端末に実行させる、請求項１ないし５のうちのいずれか１項に記載のプログラム。
【請求項７】
前記報知を行う処理は、通信回線を介して遠隔地に存在する装置に前記報知の情報を送信する
処理を更に前記携帯端末に実行させる、請求項６に記載のプログラム。
【請求項８】
前記報知を行う処理は、救急搬送の依頼を行う報知の送信を行うか否かの指示を入力するよう操作者に促す、請求項６又は７に記載のプログラム。
【請求項９】
携帯端末であって、
当該携帯端末の操作者の第１の指示に応答して、第１の現在時刻を記録する現在時刻記録部と、
前記操作者の前記第１の指示又は第２の指示に応答して、前記携帯端末により撮像された映像の記録を開始する映像記録開始部と、
前記映像の記録の最中に、前記操作者による投薬の情報の選択の指示に基づく投薬情報と疾病の状況に関する入力文字の情報とを含む入力情報を受け取る入力情報受取部と、
前記操作者の第３の指示に応答して、前記映像の記録を終了する映像記録終了部と、
前記操作者の前記第３の指示又は第４の指示に応答して、第２の現在時刻又は前記第１の現在時刻から前記第２の現在時刻までの経過時間を記録する経過時間記録部と、
前記第１の現在時刻と、前記第２の現在時刻又は前記経過時間と、記録された前記映像と、前記入力情報とを対応付けてメモリへの記録を制御する記録制御部と、
を有する携帯端末。
【発明の詳細な説明】
【技術分野】
【０００１】
本発明は、療育支援プログラム及び療育支援装置に関する。
【背景技術】
【０００２】
患者又は介護を要する者の生活を支援するシステムが存在する。服薬の情報の記録、患者又は介護者の状況の記録、家族への通報などの機能を持つシステムが存在する。
【０００３】
例えば、情報端末の操作部を介して傷病者の属性情報の入力を受け付ける傷病者情報受付手段と、情報端末の表示部に複数の症状の項目を表示し、そのうちから操作部を介して任意の症状の項目の選択を受け付ける症状選択手段と、傷病者の属性情報及び選択された症状の項目に対する救急の緊急度を判定し、報知を行う緊急度判定手段とを有する情報端末が存在する（例えば特許文献１参照）。
【０００４】
また、例えば、介護に追われる家庭において、住宅内等の監視領域での被介護者または子供や家屋内の安全の状況変化を検知して、介護者または連絡先に家屋内の状態を音声で通報する機能を備えた警備装置および警備システムが存在する。このシステムは、規定時間内に於ける規定回数の人体感知頻度により異常信号を送信するセンサーの検知信号と、温度・煙・人体・ガス・ボタン等のセンサーからの検知信号とを受信する監視情報端末と、当該監視情報端末を公衆回線又はインターネット回線に接続し、前記各センサーからの信号毎に特定の登録連絡先へセンサー毎に異なる特定音声信号を送信し、前期監視情報端末と特定連絡先とを双方向通信可能にする手段とを備えている（例えば特許文献２参照）。
【０００５】
また、画像の撮影に関しては以下の技術が存在する。例えば、工事現場などでの工事の状況を撮影する場合に、撮影記録フォーマットを選択して入力するためのキーボードを備え、撮影記録情報を現場写真の任意の位置に合成した撮影記録を得ることができるデジタルカメラに関する技術が存在する（例えば特許文献３参照）。
【０００６】
しかしながら、従来の技術は、端末に詳細な情報を入力するために煩雑な操作をユーザに行わせることが必要とされたり、特殊なセンサーを用いたりすることが必要であった。
【先行技術文献】
【特許文献】
【０００７】
【特許文献１】特許第６３４７９０１号公報
【特許文献２】特開２００８−２０９７２２号公報
【特許文献３】特開２００３−９０６７号公報
【発明の概要】
【発明が解決しようとする課題】
【０００８】
開示の技術は、てんかんなどの疾病を持つ者の療育における緊急の事態においても、簡便な方法で記録が残せるようにし、或いは適切な対応をとることができるようにすることを目的とする。
【課題を解決するための手段】
【０００９】
開示の技術は、携帯端末の操作者の第１の指示に応答して、第１の現在時刻を記録し、前記操作者の前記第１の指示又は第２の指示に応答して、前記携帯端末により撮像された映像の記録を開始し、前記映像の記録の最中に、前記操作者からの入力情報を受け取り、前記操作者の第３の指示に応答して、前記映像の記録を終了し、前記操作者の前記第３の指示又は第４の指示に応答して、第２の現在時刻又は前記第１の現在時刻から前記第２の現在時刻までの経過時間を記録し、前記第１の現在時刻と、前記第２の現在時刻又は前記経過時間と、記録された前記映像と、前記入力情報とを対応付けてメモリへの記録を制御する処理を前記携帯端末に実行させるプログラムが提供される。
【発明の効果】
【００１０】
開示の技術によれば、てんかんなどの疾病を持つ者の療育における緊急の事態においても、簡便な方法で記録が残せるようにし、或いは適切な対応をとることができる。
【図面の簡単な説明】
【００１１】
【図１】図１は、一実施形態の携帯端末を用いて療育の対象となる者を撮影しつつメモが入力されている例を示す図である。
【図２】図２は、実施形態のハードウエア構成を示す図である。
【図３】図３Ａは、実施形態に係るコンピュータプログラムが起動したときの画面を示す図である。図３Ｂは、てんかん発作の動画を記録するための操作画面を示す図である。図３Ｃは、てんかん発作の動画記録を行っている際の表示画面を示す図である。図３Ｄは、てんかん発作の動画を記録している最中に、操作者がメモの入力を行っている様子を示す画面を示す図である。
【図４】図４Ａは、タイマーのみでてんかん発作を記録するための操作画面を示す図である。図４Ｂは、動画を撮影せずに操作者がメモの入力を行っている画面である。図４Ｃは、記録を行う指示ボタンが表示されている画面である。
【図５】図５は、実施形態の機能ブロック図を示す図である。
【図６】図６は、実施形態の処理を示すフローチャートである。
【図７】図７は、実施形態の他の処理を示すフローチャートである。
【図８】図８は、関連付けられて記録された情報が表示画面に表示された様子を示す図である。
【図９】図９は、てんかん発作の報知設定の例を示す図である。
【発明を実施するための形態】
【００１２】
以下に、図面を用いて実施の形態について説明する。
【００１３】
なお、以下の実施形態の説明では、てんかん発作を伴う子供に対するてんかん発作の状況とそのケアーの様子を記録する携帯端末の動作を例にして説明を行うが、開示の技術は一例であって、てんかん発作の適用に限定されるものではない。したがって、てんかん発作以外の疾病に伴う患者の状況とそのケアーの様子を記録する際にも、本実施形態を適用することができることは言うまでもない。
【００１４】
図１は、一実施形態の携帯端末を用いて療育の対象となる者（小児）１００を撮影しつつ、メモ３７０が入力されている例を示す図である。
例えば、小児のてんかん発作は、多様な側面を有する。また、てんかん発作を起こしている映像に加えて、てんかん発作の際の状況を適切にメモなどによって記録することは、てんかん発作を適切に治療する際に重要である。
てんかん発作を起こしている動画を撮影することに加え、投薬を行った状況（投薬の時刻、薬の種類など）を記録することも重要である。
【００１５】
てんかん発作の状況では、てんかん発作を起こす前兆、てんかん発作のきっかけとなった環境の変化の様子、てんかん発作において動画として記録できない子供の雰囲気の詳細状況などの付随した情報をメモとして残しておくことが重要である。
【００１６】
小児のケアーを行っている親（又は看護師など）が、携帯端末によって、てんかん発作の動画を撮影すると共に、上記の付随した情報を、手書きのメモに残すことは困難を伴う。
【００１７】
また、手書きのメモの部分と、撮像された動画の関連とを関連付けるためには、手書きのメモに、動画の撮影日時などの情報をも記録しておく必要がある。しかも、過去に記録されたメモと、撮影された動画とを関連づけることが非常に難しくなってしまう場合がある。
【００１８】
このように、携帯端末を操作している操作者が、てんかん発作の動画を撮影しながら、ノートなどにメモを取ることは困難を伴う。しかも、動画との関連づけを容易にするためには、動画を撮影している時刻を記載しつつ、てんかん発作の状況をメモに取ることが必要とされる。
【００１９】
てんかん発作が終了した後に、携帯端末の操作者が、自己の記憶をメモに残すことも可能である。しかしながら、てんかん発作の状況の記憶を、後の時刻にメモに残す場合には、緊急事態が発生している中での記憶が正確でない場合もある。したがって、事後的にてんかんの様子をメモに取ることは、メモの内容が希薄となってしまう。よって、このような手書きのメモは、治療を行う医師などに対して、てんかん発作の状況に関する適切な情報を伝えることができない場合がある。
【００２０】
以下に示す実施形態は、児童の保護者などが、てんかん発作を起こしている児童の動画を撮影できるようにすると同時に、その状況を、文字を含むメモを携帯端末に入力をすることを可能とさせる。加えて、携帯端末の操作者は、動画の撮影、メモの入力に加えて、投薬のタイミングなども簡便に携帯端末に記録することができる。
そして、動画、メモ、投薬情報などは、これらの時刻と共に、相互に関連付けられて、携帯端末２００の記録制御部５６０を介して記憶部５６５又はクラウドストレージなどに記録される。
【００２１】
また、携帯端末によって収集されたこの情報は、図２に示されるように、ネットワークを介して、遠隔地にあるサーバ装置２９０、医師、家族、支援拠点等の端末装置２８０などに伝達することができる。サーバ装置２９０には、情報を記憶するクラウドストレージ機能が存在してもよい。
【００２２】
携帯端末２００のメモリ又はサーバ装置２９０のクラウドストレージに記録された情報は、関連付けられた形で表示される。このため、児童の家族、医師などは、表示された情報を容易に確認することができると共に、これらの情報を児童の適切な治療に役立てることができる。
【００２３】
図２は、実施形態の携帯端末２００のハードウエア構成を示す図である。
ネットワーク２１５を介して、携帯端末２００と、外部のサーバ装置２９０などが接続される。携帯端末２００は、例えば、てんかん患者の動画の撮影、文字情報を含むメモの入力、投薬の情報の入力、記憶された情報の表示などが行える。
【００２４】
携帯端末２００は、ＣＰＵ２０１、ＲＯＭ２０２、ＲＡＭ２０３、ネットワークインターフェース２０５、入力インターフェース２０６、出力インターフェース１０７及び外部メモリインタフェース２０８を有する。
【００２５】
ネットワークインターフェース２０５には、ネットワーク２１５が接続されている。ネットワーク２１５には、サーバ装置２９０及び他の端末装置２８０等が接続される。入力インターフェース２０６には、カメラ及びマイクなどの入力デバイスが接続され得る。出力インターフェース２０７には、ディスプレイ及びスピーカなどの出力デバイスが接続され得る。外部メモリインタフェース２０８には、記憶媒体２１８が接続されている。本実施形態を実現するコンピュータプログラムは、実態のある（tangible）非一時的でない（nontransitory）メモリである記憶媒体２１８、ＲＯＭ２０２、又はＲＡＭ２０３に記憶される。このコンピュータプログラムはＣＰＵ２０１によって実行される。
【００２６】
また、このコンピュータプログラムは、ネットワーク２１５を介してダウンロードされ得る。これらのハードウエアは、バス２０４によって相互に接続されている。
図２に示されるハードウエアの構成は一例であって、その他のハードウエア例えば（画面のタッチセンサ（不図示）など）が存在し得る。
【００２７】
また、以下に示す実施形態における処理フローの各ステップは、矛盾の無い限り、処理の順番を入れ換えることができる。また、複数の処理ステップが同時に実行されてもよい。
本明細書に記載されている実施形態は一例であって、特許請求の範囲に定義された発明を限定するためのものと解釈してはならない。
以下の実施形態は、方法の発明、プログラムの発明、プログラムを記録した記憶媒体の発明、装置の発明などのカテゴリとして把握され得る。
【００２８】
図３Ａは、実施形態に係るコンピュータプログラムが起動した後の画面を示す図である。図３Ｂは、てんかん発作の動画を記録するための操作画面を示す図である。図３Ｃは、てんかん発作の動画の記録を行っている際の表示画面を示す図である。図３Ｄは、てんかん発作の動画を記録している最中に、操作者がメモの入力を行っている様子を示す画面である。
図３Ａに示されるように、携帯端末２００の表示画面２１０に、本実施形態の第１の画面が表示されている。
「発作記録」３１０の表示は、この携帯端末がてんかん発作の記録を行っていることを示している。
【００２９】
「動画付きで発作記録」ボタン３１２は、このボタンをタッチすることにより動画を撮影する機能の画面に遷移する機能を有する。このボタンがタッチされたと同時に動画を記録するようにしてもよいし、次に述べる図３Ａに示す表示に遷移してもよい。
「タイマーのみで発作記録」ボタン３１４は、動画を撮影せずにタイマーによる情報を記録する機能を選択するときにタッチされる。
【００３０】
「１タップで発作を記録する」３２１の表示は、ボタンＡ３２２、ボタンＢ３２４及びボタン３２６のいずれかのタッチにより、発作の種類を簡便に記録することができることを示す表示である。
【００３１】
ボタンＡ３２２、ボタンＢ３２４及びボタン３２６の各々に、発作の内容をあらかじめ設定することができるようにしてもよい。これらのボタンがタッチされたときに、タッチされた時刻と共に、いずれのボタンがタッチされたかを記録することで、てんかん発作の発生時期とてんかん発作の種類を簡便に記録することができる。
【００３２】
ボタンＡ３２２がタッチされた場合には、足のけいれんが起きたことがその時刻と共に記録される。ボタンＢ３２４がタッチされた場合には、息が止まるけいれんが起きたことがその時刻と共に記録される。ボタン３２６がタッチされた場合には、転倒が起きたことがその時刻と共に記録される。これらのボタンがおされた場合には、発作の継続時間は、発作の種類に応じて、典型的な発作時間をあらかじめ設定しておくことができるようにしてもよい。或いは、これらのボタンが押された場合には、あらかじめ定められた時間、発作が継続されたことが記録されるようにしてもよい。
「発作記録中」３３０の表示は、この表示画面２１０が表示されてから、継続して、タイマーによって継続時間が記録されていることを示している。
【００３３】
タイマー表示３３２は、現時刻におけるタイマーの値が８秒であることを示している。タイマー表示３３２は、時、分、秒を表示するようにしてもよい。或いは、表示画面２１０が表示された時刻と、現在時刻とを表示させてもよい。
【００３４】
操作者が、この「発作記録」３１０の画面を携帯端末２００に表示させるときは、操作者は、てんかん発作の状況を少しでも早くから記録させたいと欲している場合が多い。したがって、発作記録３１０の画面が表示された時点で、その表示時刻を記録し、タイマーを動作させてもよい。或いは、画像撮影の開始が自動的になされてもよい。（図３Ａでは、「発作記録」３１０の画面の表示のタイミングでタイマーの動作が開始されている。また、「発作記録」３１０の画面が表示された時刻を記録している。）
【００３５】
図３Ｂは、てんかん発作の動画を記録するための操作画面を示す図である。タイマー表示３３２が、画面上部に表示されている。このように、タイマーの表示を画面の上部に、見やすいように表示させることは重要である。例えば、てんかん発作が、所定の時間よりも長く継続している場合には、てんかん発作の種類にも依存するが、緊急の医療手当を必要とする場合がある。このため、携帯端末２００の操作者が、てんかん発作の継続時間をより容易に視認することができるようにして、適切な対応を取らせることができる。
人物像３４０は、携帯端末で撮像された、てんかんを起こしている人物の映像である。
【００３６】
「投薬」ボタン３５２は、座薬などの投薬が行われたタイミングでタッチされることが望ましい。このようにすることによって、投薬の時刻を携帯端末に記録することができる。また、「投薬」ボタン３５２がタッチされた場合には、投薬された薬の種類を選択できる画面（不図示）を表示させるようにしてもよい。選択できる薬の種類は、予め設定できるようにしてもよい。あらかじめ入力された薬のリストは、処方箋の画像をサーバ装置２９０に送信することで、サーバ装置が自動的に処方箋の内容を解析し、その解析結果を、端末に送り返すこととで設定されるようにしてもよい。或いは、サーバ装置に接続された他の端末装置２８０を操作する専門家によって、処方箋の情報が入力されてもよい。或いは、端末の操作者が、てんかんに用いられる薬などが含まれるリストから選択することで、薬のリストが作成されてもよい。
【００３７】
「撮影開始」ボタン３５４が、端末の操作者によってタッチされると、人物の動画の撮影及びその記録が開始される。なお、「撮影開始」ボタン３５４がタッチされたときから、動画の撮影が開始されるのではなく、図３Ｂの画面が表示されたときに、自動的に動画の撮影が開始されるようにしてもよい。この場合、図３Ｂの画面に代えて、次に述べる図３Ｃの画面が表示されるようにしてもよい。
「メモ」３５６の表示は、メモ入力エリア３５８が、操作者によるメモの入力欄であることを示している。
【００３８】
操作者が、例えば「メモ」２５６の表示、又はメモ入力エリア３５８をタッチした場合に、図３Ｄに示すメモの入力のためのキーボード等がポップアップするようにしてもよい。
【００３９】
図３Ｃは、てんかん発作の動画記録を行っている際の表示画面を示す図である。「第1回発作」３６２の表示は、タイマーの動作が開始してから、１回目の発作であることを示している。この場合、1回目の動画撮影を第１回の発作であると認識し、「第１回発作」３６２を表示させるようにしてもよい。
録画時間表示３６４は、動画の録画の継続時間を表示している。
「録画中」３６６の表示は、現在録画が行われていることを操作者に示すように表示される。
【００４０】
「録画停止」ボタン３６８は、オペレータによりタッチされると、録画が停止される。この「録画停止」ボタン３６８がタッチされたときを、第1回の発作の終了時刻であるとして記録してもよい。
【００４１】
図３Ｄは、てんかん発作の動画を記録している最中に、操作者がメモの入力を行っている様子を示す画面である。
例えば、既に説明したように、操作者が、メモ２５６の表示、又はメモ入力エリア３５８をタッチした場合に、図３Ｄに示すメモの入力のためのキーボード３８０がポップアップするようにしてもよい。
この場合、表示画面が小さい場合には、図３Ｄのように、表示全体がスクロールアップしてもよい。
【００４２】
キーボード３８０を操作することにより、メモ３７０を入力することができる。動画の撮影中であれば、この入力が行われている最中であっても、動画の撮影は継続されるようにすることが望ましい。
【００４３】
動画を撮影している最中は、操作者は、紙にメモを記載することは事実上不可能である。また、紙などの媒体に記載するメモの内容も希薄になる。例えば、発作の時刻を紙媒体に書く場合には、時刻を確認し、なるべく正確に（秒単位の時刻を）記載しておく必要がある。また、記録した動画に対応する、紙媒体に記載されたメモを探すことも非常に煩雑になる。
【００４４】
本実施形態では、動画を記録している最中も、図３Ｄに示されるように、操作者がメモを入力することができる。このメモの入力時刻を記録するようにしてもよい。或いは、撮影している動画のファイルとの関連を記憶してもよい。
【００４５】
加えて、投薬がなされた場合には、「投薬」ボタン３５２が押されることによって、投薬の時刻が記録されるようにしてもよい。また、投薬の情報と、動画のファイルと、メモの内容とを関連付けて、携帯端末２００の記録制御部５６０が携帯端末の記憶部５６５又はサーバ装置２９０のクラウドストレージに記録されるように指示してもよい。投薬の時刻又はメモの時刻が記録され、必要に応じて投薬の内容又はメモと共に表示されるようにしてもよい。
【００４６】
記録された動画の撮影の開始時刻と終了時刻（又は動画の継続時間）が記録され、動画自体の再生時又は、動画のサムネールが表示されているときに、この動画の撮影開始時刻と、継続時間（又は撮影終了時刻）が表示されるようにしてもよい。
【００４７】
図４Ａは、タイマーのみで、てんかん発作を記録するための操作画面を示す図である。図４Ｂは、動画を撮影せずに操作者がメモの入力を行っている画面である。図４Ｃは、「記録する」ボタン４８０が表示されている画面である。
【００４８】
図４Ａは、タイマーのみで、てんかん発作を記録するための操作画面を示す図である。既に説明したように、図３Ａの表示画面における「タイマーのみで発作記録」ボタン３１４がタッチされた場合に、図３Ａの画面から、図４Ｃの画面に遷移させるようにしてもよい。
【００４９】
この場合、操作者が動画を記録しない指示を行っているため、動画を表示する領域４０１には、映像が表示されていない。その代わりに、「撮影開始」ボタン４０２が表示されるようにしてもよい。なお「撮影開始」ボタン４０２の表示位置は、図４Ａの記載に限定されるものではない。
【００５０】
「タイマー停止」ボタン４０４は、例えば、てんかん発作が終了した場合にタッチされるボタンである。この「タイマー停止」ボタン４０４が押されると、タイマーが停止する。タイマーが起動してからタイマーが停止するまでが、1回の発作であると判断して、1階の発作の開始時刻、タイマーの継続時間、投薬の情報、メモの情報などが関連付けられて携帯端末２００に記録されるようにしてもよい。タイマーが停止した場合には、「タイマー停止」ボタン４０４に、「タイマー開始」ボタン（不図示）が表示されるようにしてもよい。このようにすることによって、複数回に亘って、タイマーの開始と停止を指示できる。それぞれのタイマーの継続時間内において、てんかん発作が起きていることが記録されることになる。
【００５１】
図４Ｂは、動画を撮影せずに操作者がメモの入力を行っている画面である。図４Ｂでは、図３Ｄと同様に、メモ内容４７０が入力されている様子を示している。
図４Ｃは、「記録する」ボタン４８０が表示されている画面である。
１回または複数回のてんかん発作が収まった場合には、「記録する」ボタン４８０をタッチすることによって、一連の記録操作を終了することができる。収集された種々のデータは、端末に記録される。また、収集された種々のデータを、ネットワークを介してサーバ装置２９０などの他の装置に送信してもよい。このようにすることによって、医師、救急施設などで、てんかん発作の状況を迅速的確に把握することができ、適切な治療に利用することができる。
【００５２】
なお、図４Ｃの「記録する」ボタン４８０は、図３Ａないし図３Ｄにおいて説明した動画の撮影における表示画面２１０に表示されるようにしてもよい。この場合に、録画が継続している場合には、録画が終了するようにしてもよい。
【００５３】
図５は、実施形態の機能ブロック図を示す図である。
実施形態５００は、現在時刻記録部５１０、映像記録部５２０、経過時間記録部５３０、情報入力受取部５４０、報知部５５０、記録制御部２６０及び記憶部５６５を有する。
現在時刻記録部５１０は、発作記録の表示の指示がなされたとき或いは、「タイマー開始」ボタン（不図示）がタッチされた場合、本プログラムが起動されたときなどに、その時の現在時刻を記録するようにしてもよい。記録された現在時刻は、てんかん発作の開始のタイミングの時刻に近似した時刻であると判断されるため、この開始時刻の記録は、てんかん発作が何時開始されたかを、後に把握する上で重要な情報となる。
【００５４】
発作記録の表示の指示がなされたとき或いは、「タイマー開始」ボタン（不図示）がタッチされたことは、第１の指示の例である。なお、どのようなタイミングで、現在時刻を記録するようにするかは、予め定めておくことができる。
映像記録部５２０は、映像記録開始部５２２及び映像記録終了部５２４を有する。
【００５５】
映像記録開始部５２２は、図３Ｂの「撮影開始」ボタン３５４がタッチされた場合に映像の記録を開始するように、映像記録部にトリガーを与える役目を果たす。「撮影開始」ボタン３５４のタッチは、第２の指示の一例である。
【００５６】
なお、映像の記録は、上述の現在時刻の記録を行う第１の指示によって、開始されるようにしてもよい。いずれの指示を、映像記録の開始のトリガーとするかは、あらかじめ定めておくことができる。
【００５７】
映像記録終了部５２４は、例えば「撮影停止」ボタン３６８がタッチされたときに、映像の撮影を終了するよう、映像記録部を制御する。「撮影停止」ボタン３６８のタッチは、第３の指示の一例である。
その他、映像の記録中に「記録する」ボタン（不図示）がタッチされた場合にも、映像の撮影を終了するよう映像記録部を制御してもよい。
【００５８】
経過時間記録部５３０は、複数のてんかん発作全体の経過時間を記録すると共に、この全体の経過時間の中での各々のてんかん発作の経過時間を記録できるようにすることが望ましい。
【００５９】
情報入力受取部５４０は、図３Ｄ及び図４Ｂに示したように、操作者によるメモの入力を受け取る。メモの入力は、映像の撮影時においても許容されることが望ましい。このようにすることによって、撮影された映像とその時に入力されたメモの内容とを関連付けて記録することができ、後のてんかんの治療、生活改善、てんかん発作の誘発の予防などに利用できる重要な情報となる。
また、情報入力受取部５４０は、投薬情報の入力を受け付けるようにすることが望ましい。
記録制御部５６０は、てんかん発作の時刻、てんかん発作の継続時間、動画、操作者からの入力情報などの種々の情報を受け取り、端末装置の記憶部５６５又はサーバ装置２９０のクラウドストレージなどに、これらを記録する制御を行う。また、記録制御部は、記憶部５６５又はサーバ装置２９０のクラウドストレージ等に記録された上記の情報を取り出して、携帯端末２００に表示させるための制御などを行うことができる。
【００６０】
報知部５５０は、例えば、経過時間記録部において、てんかん発作の継続時間が所定の値より大きくなったか否かをチェックする。この所定の値は、てんかんの種類によって異なった値が設定されてもよい。また、携帯端末の操作者がこの所定の値を設定してもよい。
【００６１】
てんかんの継続時間が所定の値より大きい場合、てんかんの種類によっては、危険な状態に陥ることがある。このような事態を避けるため、操作者に対して報知を行い、危険な状態であることを知らしめることが望ましい。
【００６２】
或いは、てんかんの継続時間が所定の値より大きい場合、携帯端末から救急搬送の連絡を行ってもよいことの指示を入力するよう操作者に促す報知を行ってもよい。
或いは、操作者以外の者（例えば、主治医、家族）などに報知を行ってもよいことの指示を入力するよう操作者に促す報知を行ってもよい。
或いは、指示の入力を促すことなく、救急搬送又は操作者以外の者への報知を自動で行うように予め設定しておくことができるようにしてもよい。
【００６３】
図６は、実施形態の処理を示すフローチャートである。なお、以下に述べる各ステップは、矛盾の無い限り処理の順序を入れ換えたり、同時に実行したりしてもよい。或いは、一部のステップを実行しなくてもよい。処理の一部は、オペレーティングシステムなどのシステムプログラムが実行してもよい。
以下、順を追って各ステップについて説明する。
【００６４】
［ステップＳ６０２］ 本実施形態を実装するアプリケーションプログラムの起動指示、又はタイマー開始の指示（これらの指示は、第1の指示に相当する）が受け取られる。タイマーの開始の指示は、アプリケーションプログラムに設定されている所定の画面を呼び出す指示をすることによりなされてもよい。この指示も、第1の指示に相当する。
タイマーが開始されることは、てんかん発作が開始したことを意味するものである。
【００６５】
［ステップＳ６０４］ タイマーが開始された時刻が記録される。この時刻は、てんかん発作が始まった時刻に近似した時刻である。この時刻にてんかん発作が開始されたことになる。なお、複数のてんかん発作が間欠的に発生した場合には、複数のてんかん発作の最初のてんかん発作が始まった時刻とみなすことができる。
【００６６】
［ステップＳ６０６］ 動画の撮影開始の指示を受け取る。この指示は、「撮影開始」ボタン３５４又は、「撮影開始」ボタン４０２をタッチすることによりなされてもよい。あるいは、この指示は、ステップＳ６０２の第１の指示であってもよい。
［ステップＳ６０８］ 動画の撮影が開始される。
【００６７】
［ステップＳ６１０］ 動画の撮影が継続している最中においても、操作者は、文字入力によるメモを記録することができる。また、操作者が「投薬」ボタン３５２をタッチすることにより、投薬のタイミングに限りなく近い時刻に、投薬の事実と薬を記録することができる。薬の種類は、「投薬」ボタン３５２が押された後に選択できるようにしておけばよい。選択できる薬の種類は、すでに説明した通り、処方箋の内容を基に、予め携帯端末に記憶しておくことができる。
【００６８】
動画を撮影しながら、文字の入力を許容することで、てんかん発作の状況、背景など、動画だけでは記録できない内容を、動画と関連付けて記録することができる。また、投薬のタイミングと薬の種類が記録できるので、投薬の前後における状況の変化を動画において確認することができる。
【００６９】
［ステップＳ６１２］ 撮影終了の指示（第３の指示）が受け取られる。撮影終了の指示は、「撮影停止」ボタン３６８又は撮影中において「記録する」ボタン４８０がタッチされた場合等によってなされる。
［ステップＳ６１４］ 動画の撮影が終了する。
【００７０】
［ステップＳ６１６］動画の撮影開始の指示を受けたかがチェックされる。撮影が終了しても、再度、撮影開始の指示があれば、処理は、ステップＳ６０８に移る。撮影開始の指示がなければ処理はステップＳ６１８に移る。
【００７１】
［ステップＳ６１８］ 記録の指示を受けたかがチェックされる。記録の指示を受けていない場合は、処理はステップＳ６１６に戻る。処理の指示を受けた場合は、処理はステップＳ６２０に移る。
【００７２】
［ステップＳ６２０］ここで、ステップＳ６０４で記録された時刻と現在時刻との差が計算され、経過時間が計算される。経過時間ではなく、現在時刻を記録するようにしてもよい。経過時間を知りたい場合には、Ｓ６０４で記録された時刻と記録された現在時刻との差を計算することで求めることができる。
【００７３】
［ステップＳ６２２］ 各ステップで取得されたデータが記録制御部５６０の指示により記憶部５６５又はクラウドストレージに記録される。なお、ステップＳ６２０で記録された経過時間（又は、ステップＳ６０４で記録された時刻とステップＳ６２０で記録された時刻との差）の間には、複数回のてんかん発作が含まれている場合がある点に留意すべきである。
【００７４】
図７は、報知に関する実施形態の処理を示すフローチャートである。
既に説明した図６では、複数回のてんかん発作が記録される場合がある。複数回のてんかん発作の各々は、記録された個々の画像の記録時間にほぼ等しくなる。
報知が行われる場合は、複数回のてんかん発作の各々の経過時間が考慮され得る。なお、複数回のてんかん発作が、短い間隔を隔てて間欠的に発生する場合にも、注意する場合があり得る。このような場合には、図６のステップＳ６２０で記録された経過時間が考慮されることとなる。
【００７５】
図７に示す報知の処理は、個々のてんかん発作の継続時間及び図６のステップＳ６２０で記録される経過時間の両者に適用することができる点に留意すべきである。なお、個々のてんかん発作の継続時間に注意を払うべきか、短い間隔を隔てて間欠的に発生するてんかん発作の全体の時間に注意を払うべきかに応じて、いずれの継続時間に対して報知の是非を判断することが望ましい。なお、この判断に当たっては、てんかん発作の種類、医師の意向などを勘案してすることが望ましい。
【００７６】
図７の各ステップについて以下に説明する。
［ステップＳ７００］この処理は、割り込みにより定期的に開始されることが望ましい。
［ステップＳ７０２］てんかん発作の継続時間と、所定の時間とが比較される。所定の時間よりもてんかん発作の継続時間が大きい場合（ＹＥＳ）は、処理はステップＳ７０４に移る。所定の時間よりもてんかん発作の継続時間が大きくない場合、処理は終了する。
【００７７】
なお、継続時間は、図６のステップＳ６２０の継続時間であってもよい。この継続時間は、てんかん発作が間欠的に発生する場合の時間である。この継続時間と比較する所定の時間は、別途設定されていることが望ましい。
【００７８】
［ステップＳ７０４］報知が行われる。携帯端末の操作者に対して、てんかん発作の継続時間が長いことを報知することができる。或いは、ネットワーク２１５を介して、医師、医療機関、家族などに、てんかん発作の継続時間が長いことを報知してもよい。
所定の時間は、複数のレベルが設定されてもよい。
また、救急搬送を要請するか否かの是非を問う報知を、携帯端末の操作者に知らせてもよい。
【００７９】
図８は、関連付けられて記録された情報が表示画面８００に表示された様子を示す図である。
表示画面８００は、縦長になっている。画面の縦の長さが表示画面の縦の長さよりも短い場合は、縦に表示内容をスクロールさせることによって、所望の情報を表示させることができる。
表示領域８０２は、表示画面のタイトル「発作記録」を示している。
表示領域８０４は、記録の対象としている者を特定する情報（メリーちゃん）を表示すると共に、この画面の機能（発作状態を記録します）を説明している。
表示領域８０６は、てんかん発作の発生状態（Ａ：けいれん）を表示する領域である。
表示領域８０８は、てんかん発作の発生日（２０２３年４月１１）を示している。
表示領域８０９は、てんかん発作の発生時刻（８：１５）を示している。この表示は、８時１５分を示している。てんかん発作の発生時刻の表示は、秒単位の時刻を含ませるなど、より正確な時刻であってもよい。
表示領域８１２は、一連のてんかん発作の継続時間（00:02:04）を示している。
表示領域８１４は、発作記録の項目であることを示している。
【００８０】
表示領域８１６は、てんかん発作１回目の継続時間が（00:00:35）であったことを示している。そして、アイコン８１５は、動画記録が残されていることを示している。このアイコン８１５をタッチすることで、動画を再生する画面に遷移することができる。
表示領域８１８は、てんかん発作１回目の継続時間の開始時刻から00:00;12、すなわち12秒後に投薬が行われたことを示している。
【００８１】
表示領域８２０は、てんかん発作２回目の継続時間が（00:01:20）であったことを示している。表示領域８２０には、アイコンが示されていない。したがって、てんかん発作の動画が記録されていないことがわかる。
表示領域８２２は、てんかん発作２回目の継続時間の開始時刻から00:00;54、すなわち54秒後に投薬が行われたことを示している。
表示領域８２４は、メモの項目であることを示している。
【００８２】
表示領域８２６には、てんかん発作の最中に、端末操作者が入力したメモが表示されている。このメモに併記して、メモの入力時刻が表示されるようにしてもよい。
「保存する」ボタン８２８は、表示された情報を保存しておく際にタッチするボタンである。
「破棄する」ボタン８３０は、表示された情報を保存せずに破棄する際にタッチするボタンである。
【００８３】
上記の表示は、医師などが確認することで、適切な治療を行うことができる。また、てんかん患者の家族などが確認することで、てんかん患者の生活の様子を正確に把握することができる。例えば、父親が仕事に出ている際に、自宅で子供がてんかん発作を起こした場合であっても、父親は、帰宅した際に子供のてんかん発作の様子を正確に確認することができる。
【００８４】
また、ネットワーク２１５を介して遠隔地にデータを転送することで、遠隔地にいる医師や家族が、子供のてんかん発作の状況を迅速に把握することができる。特に、動画を撮りながら操作者がメモを入力することができるため、記録された一連のデータによって、正確なてんかん発作の状況を複数の者が共有することができる。
【００８５】
図９は、てんかん発作の報知設定９００の例を示す図である。
設定項目９２２で、5分以上てんかん発作が継続した場合に、いずれの家族に報知するかを設定することができる。スライドバー９１２がオンとなっているため、父親に報知されるように設定されていることがわかる。
【００８６】
設定項目９２４によって、救急搬送に関する設定を行うことができる。例えば、図９の場合には、てんかん発作が１０分間継続する場合には、携帯端末の画面に、救急搬送の依頼ボタン（不図示）を表示することが設定されていることがわかる。
【００８７】
このようにして、報知を行う場合のてんかん発作の継続時間を設定することができる。また、家族に報知する場合と、救急搬送に関する報知を行う場合とで、てんかん発作の継続時間の設定を異ならせることができる。この設定によって、迅速的確に報知が行われるように柔軟にパラメータを設定することができる。
【００８８】
実施形態のＲＯＭ２０２、ＲＡＭ２０３、記憶媒体２１８、記憶部２６５、サーバ装置２９０に構築されたクラウドストレージは、メモリに相当する。
【符号の説明】
【００８９】
５１０  現在時刻記録部
５２０  映像記録部
５２２  映像記録開始部
５２４  映像記録終了部
５３０  経過時間記録部
５４０  情報入力受取部
５５０  報知部
５６０  記録制御部
５６５  記憶部
【要約】      （修正有）【課題】てんかんなどの疾病を持つ者の療育における緊急の事態においても、簡便な方法で記録が残せるようにし、或いは適切な対応療育支援プログラム及び療育支援装置を提供する。【解決手段】携帯端末のプログラムは、携帯端末の操作者の第１の指示に応答して、第１の現在時刻を記録し、操作者の第１の指示又は第２の指示に応答して、携帯端末により撮像された映像の記録を開始する。映像の記録の最中に、操作者からの入力情報を受け取り、操作者の第３の指示に応答して、映像の記録を終了し、操作者の第３の指示又は第４の指示に応答して、第２の現在時刻又は前記第１の現在時刻から第２の現在時刻までの経過時間を記録する。第１の現在時刻と、第２の現在時刻又は経過時間と、記録された映像と、入力情報とを対応付けてメモリへの記録を制御する。【選択図】図５【図１】
0006755066.tif 000002
【図２】
0006755066.tif 000003
【図３】
0006755066.tif 000004
【図４】
0006755066.tif 000005
【図５】
0006755066.tif 000006
【図６】
0006755066.tif 000007
【図７】
0006755066.tif 000008
【図８】
0006755066.tif 000009
【図９】
0006755066.tif 000010